Podtech/llm-jp-corpus-v4-ja_patent huggingface dataset:
(57)【要約】【課題】  工作、図面、大工、和裁、洋裁、パッチワーク、趣味などで正多角形や円形を自由な大きさに描いたり、また、正多角形や円形の中心を計ったり、マークを付けることが誰でも簡単にできるための分度器を提供する。【解決手段】  円分度器に複数の正多角形を描き、その複数の正多角形の各頂点に小孔を明け、円分度器の中心から複数の同心の円周線と複数の放射状の目盛線を設け、円分度器の中心と０度線上の円周線との各交点に小孔を設けたことを特徴とする円分度器である。【選択図】図１
0003146926.tif 000002
【実用新案登録請求の範囲】
【請求項１】
円盤の中心に同心で複数の正多角形を描き、その複数の正多角形の各頂点と同心で複数の円周線との交点に小孔を設けたことを特徴とする円分度器。
【請求項２】
中心から放射状に複数の目盛線を設けたことを特徴とする請求項１に記載の円分度器。
【請求項３】
中心と同一の放射状の線上の円周線との各交点に小孔を設けたことを特徴とする請求項１、請求項２に記載の円分度器。
【考案の詳細な説明】
【技術分野】
【０００１】  本考案は工作、図面、大工、和裁、洋裁、パッチワーク、趣味などで正多角形を自由な大きさに描いたり、また、正多角形や円形の中心を計ったり、マークを付けることが誰でも簡単にできるための円分度器に関するものである。
【背景技術】
【０００２】  従来、正多角形や円形を描こうとすると角度を計算してから、分度器を使ったり、コンパスを使ったりと大変で時間もかかった、また、円形の中心までの距離を計ったり、マークをするのも直径を測り、半径を出し、コンパスなどを使っていた。
【考案の開示】
【考案が解決しようとする課題】
【０００３】  そのために次のような問題点があった。
（イ）描かれている正多角形や円形の中心にマークをしたり、中心までの直径や半径の寸法を測ることが難しかった。
（ロ）正多角形を描くとき、角度を計算してから、分度器でマークをしたり、直径や半径を測ってから、コンパスを使ったりと面倒で時間がかかった。
本考案は、以上の問題点を解決するため、円分度器の中心から放射状に目盛線と等間隔で同心の円周線を設けたことで、円分度器を当て、上下左右を合わせれば、中心と半径が分かるようにした円分度器である。【０００４】  正三角形から始まる複数の正多角形を本体上に描き、この正多角形の頂点と同心の円周線の交点に小孔を明けたことで、この各頂点の小孔にマークして、線で結べば簡単に正多角形を描くことができる。【０００５】  その正三角形から始まる複数の各正多角形の頂点を０度から始まるようにすることで正多角形の一辺の角度が分かる。【０００６】  また、この正多角形の各頂点小孔と中心の小孔の線上の同距離にマークをして結べば、自由な大きさの正多角形を描くことができる。
【課題を解決するための手段】
【０００７】  円分度器に複数の正多角形を描き、その複数の正多角形の各頂点に小孔を明ける。その正多角形の各頂点を０度から始まるようにし、円分度器の中心から複数の同心円周線と複数の放射状目盛線を設けた。円分度器の中心と０度線上の円周線との各交点に小孔を設けた。以上を特徴とした円分度器である。
【考案の効果】
【０００８】  円分度器を当てて、上下左右に動かして合わせれば、中心が分かり、中心までの半径の距離も分かる。中心小孔にマークすることもでき、今まで難しかった角度の計算やコンパスを使わずに正多角形の各頂点の小孔にマークして線で結べば、誰でも簡単に自由な大きさの正多角形を描くことができる。また、中心小孔を固定し、円周小孔にエンピツやボールペンなどを入れて、回転すれば円が書ける。【０００９】  計量でコンパクトなため、場所を取らず、持ち運びにも便利で屋外の仕事場やレジャー、趣味などにも最適である。
【考案を実施するための最良の形態】
【００１０】  以下、本考案の実施の形態を説明する。
（イ）図１の円分度器本体（１）の中心から図３の放射状目盛線（８〜１５）と半径５ｍｍ間隔で同心の円周線（３〜７）（３９〜４２）を設ける。
（ロ）図１の円分度器本体（１）に図３の中心小孔（２）と０度線上の円周線（３９〜４２、７）の交点に図４の円周小孔（３４〜３８）を設ける。
（ハ）図１の円分度器本体（１）に図４の０度を頂点の始まりとする、正三角形から始まる複数の多角形を描き、それぞれの頂点と同心の円周線（３〜６）の交点に小孔（１６〜３３）を設ける。
（二）図１の円分度器本体（１）の材質は金属、透明合成樹脂で環境問題を考えると再生ペットボトルも良い、また、各小孔はシャープペンやボールペンの先が入る程度の直径０．５〜２ミリ位が良い。
（ホ）図１の円分度器本体（１）の放射状目盛線（８〜１５）と同心の円周線（３〜７）、（３９〜４２）、正多角形を色分けし、円周線に距離数を入れた。
本発明は以上のような構造で、これを使用するときは、図１の円分度器本体（１）を円形や正多角形の物に当て、上下左右に動かして、その円周や頂点を図３の中心からの放射状目盛線（８〜１５）と同心の円周線（３〜７）（３９〜４２）を中心からの距離に上下左右を合わせれば、円形や正多角形の中心が分かり、図３の中心小孔（２）にマークすることができる。【００１１】  図１の円分度器本体（１）の図３の中心小孔（２）をえんぴつ、ボールペンなどで押さえ、０度線上の図４の円周小孔（３４〜３８）と正多角形の頂点小孔（１６，１９，２３，２８）にえんぴつ、ボールペンなどを入れて、回転するこで、半径５ｍｍ間隔で同心の円周線（３〜７）（３９〜４２）と同じ円を描くことができる。【００１２】  図１の円分度器本体（１）に描かれた多角形の中から正三角形を書くときは図４の正三角形頂点小孔（１６，１７，１８）、正四角形は図４の正四角形頂点小孔（１９〜２２）、正五角形は図４の正五角形頂点小孔（２３〜２７）、正六角形は図４の正六角形頂点小孔（２８〜３３）を鉛筆やボールペンなどでマークをし、それを線で結べば、見たままの好きな正多角形を描く事ができる。【００１３】  また、好きな正多角形を選んで、同じように正多角形頂点小孔に鉛筆やボールペンなどでマークをし、図３の中心小孔（２）にマークをして結んだ線上の同距離にマークをして線で結べば、自由な大きさの正多角形を描く事ができる。
【図面の簡単な説明】
【００１４】
【図１】本考案の平面図
【図２】本考案の断面図
【図３】本考案の要部を示す平面図
【図４】本考案の要部を示す平面図
【符号の説明】
【００１５】      １    円分度器本体
２    中心小孔
３〜７、３９〜４２  円周線
８〜１５    放射状目盛線
１６〜１８  正三角形頂点小孔
１９〜２２  正四角形頂点小孔
２３〜２７  正五角形頂点小孔
２８〜３３  正六角形頂点小孔
３４〜３８  円周小孔
【図１】
0003146926.tif 000003
【図２】
0003146926.tif 000004
【図３】
0003146926.tif 000005
【図４】
0003146926.tif 000006
(57)【要約】      （修正有）【課題】柔軟な運用で、水害、洪水、災害等に対する防災や人工降雨水路に対応することができる人工河川システムを提供する。【解決手段】電動式ポンプ付き給排水制御システム１１，１２，１３，１４により、吸込口（バルブ付き）３１，３２，３３，３４により吸水した自然の河川水を吐出口（バルブ付き）２１，２２，２３，２４により吐出するための給排水兼用配管４を有する人工河川システムである。【選択図】図１
0003146975.tif 000002
【実用新案登録請求の範囲】
【請求項１】
給排水兼用配管にバルブ付きの吸込口とバブル付きの吐出口を具備し、電動式ポンプ付き給排水制御システムにより水害、火災の防災に柔軟な運用をする人工河川システム。
【考案の詳細な説明】
【技術分野】
【０００１】  本考案は、従来の土壌改良のための用水路人工河川に関する。
【背景技術】
【０００２】  神奈川県城山ダムより、新磯―海老名方向に例有り土壌改良用水路人工河川です。
【考案の開示】
【考案が解決しようとする課題】
【０００３】  しかしながら、田畑の土壌改良用水路では、防災（水害、洪水、火災、人口降雨ｅｔｃ）への給排水人工河川としては柔軟な運用に限りがある。【０００４】  本考案は上記実情に鑑みてなされたものであり、上下水道配管給排水技術を採用し、防災（前述）への柔軟な運用を目的としている。
【課題を解決するための手段】
【０００５】  上記目的を達成するため考案は、自然の河川の水位水量に対応した柔軟な給排水を行う人工河川システムで有り、次の構成を含むことを特徴としている。  電動式ポンプ付き給排水制御システムにより自然の河川の増水防災目的で給排水兼用配管に吸込口（バルブ付き）で吸込み後排水のために自然の河川の上空（同じ軌道ｅｔｃ）に配管により海の近くの河口に排水、逆に防災（火災、人工降雨ｅｔｃ）目的では、吐出口（バルブ付き）で吐出し、防災給水ができる人工河川システムである。
【考案の効果】
【０００６】  本考案により、防災（水害、洪水、火災、人工人口降雨、土壌改良用水ｅｔｃ）に柔軟な運用の人口河川とできる。
【考案を実施するための最良の形態】
【０００７】  本考案の実施の形態の一例について、図面を参照しながら説明する。  人工河川システムは、図１に示すように、電動式ポンプ付き給排水制御システム、  11、12、13、14で制御される吐出口（バルブ付き）と21、22、23、24吸込口（バブル付き）31、32、33、  34で、給排水兼用配管４により河川水を吸込み、吐出して水害、洪水、火災、人工降雨etcに対応する。
【図面の簡単な説明】
【０００８】
【図１】本考案の人工河川システムを示す図である。
【符号の説明】
【０００９】  11、12、13、14    電動式ポンプ付き給排水制御システム  21、22、23、24    吐出口（バルブ付き）    31、32、33、34    吸込口（バルブ付き）  ４                給排水兼用配管
【図１】
0003146975.tif 000003
(57)【要約】【課題】  水道水の温水バスで、洗剤や石鹸使用後の排水下水道で排水公害を絶滅する事に関するバスシステム。【解決手段】上水道１、に水道圧温水器３、とマイクロバブル発生装置４、被洗浄対象５、で構成されたバスシステムに更に洗浄効果を高め洗剤や石鹸を不要にする被洗浄対象への水道水イオン化装置を備え排水下水道６、の排水公害を絶滅するバスシステム。【選択図】      図１
0003146974.tif 000002
【実用新案登録請求の範囲】
【請求項１】
水道圧温水器とマイクロバブル発生装置で構成されるバスシステムに、水道水イオン化装置を具備する事を特徴とするバスシステム。
【考案の詳細な説明】
【技術分野】
【０００１】
本考案は、従来の水道水に温水器を備えたバスシステムに関する。
【背景技術】
【０００２】
水道圧温水器にシャワーヘッド備えたバスシステムです。
【考案の開示】
【考案が解決しようとする課題】
【０００３】
しかしながら、水道圧温水器にシャワーヘッドを備えたバスシステムとしては、洗剤や石鹸を使うバスシステムであり排水による公害防止に難点がある。
【０００４】
本考案は、上記実情に鑑みてなされたものであり、水道水のイオン化装置による洗浄効果と、マイクロバブル発生装置のそれとで洗剤や石鹸を不要とする事を目的としている。
【課題を解決するための手段】
【０００５】
上記目的を達成するため考案は、水道水のイオン化装置によるイオン水を運用することであり、次の構成を含むことを特徴としている。
洗浄力の強いイオン水を製造する水道水のイオン化装置をマイクロバブル発生装置それに水道圧温水器のバスシステムに具備させた洗浄力強化バスシステム。
【考案の効果】
【０００６】
本考案により、イオン水を温水とし、マイクロバブル化する強力洗浄により洗剤や石鹸を不要にする事ができる。
【考案を実施するための最良の形態】
【０００７】
本考案の実施の形態の一例について、図面を参照しながら説明する。
バスシステムは、図１に示すように、上水道１、水道水イオン化装置２、水道圧温水器３、マイクロバブル発生装置４、で構成され強力洗浄により洗剤や石鹸を不要にする。
【図面の簡単な説明】
【０００８】
【図１】本考案のバスシステムを示す図である。
【符号の説明】
【０００９】
１．          上水道
２．          水道水イオン化装置
３．          水道圧温水器
４．          マイクロバブル発生装置
５．          被洗浄対象
６．          排水下水道
【図１】
0003146974.tif 000003
(57)【要約】      （修正有）【課題】甲皮の底面に接着又は縫着されて靴底を形成する靴底構造において、靴底の機能性の向上で様々な靴製品に適用することができるとともに、量産性、デザイン・意匠性に優れた靴底構造を提供する。【解決手段】靴底面の全面又は一部（踵部、つま先部等）を覆う靴底本体１を、複数の窓を開設して所定肉厚の枠板状に成形し、靴底本体１の枠内に収まる接地部材３を、窓に適合して接地用突部４を配列した所定肉厚の板状に成形し、接地用突部４を窓から突設させて靴底本体１と接地部材３とを接着し、一体として構成する。【選択図】図５
0003146971.tif 000002
【実用新案登録請求の範囲】
【請求項１】
甲皮７の底面に接着又は縫着されて靴底を形成する靴底構造において、
靴底面の全面又は一部（踵部、つま先部等）を覆う靴底本体１を、複数の窓２を開設して所定肉厚の枠板状に成形し、
靴底本体１の枠内に収まる接地部材３を、窓２に適合して接地用突部４を配列した所定肉厚の板状に成形し、
接地用突部４を窓２から突設させて靴底本体１と接地部材３とを接着し、一体としたことを特徴とする靴底構造。
【請求項２】
靴底本体１と接地部材３とを異素材で成形した請求項１に記載の靴底構造。
【請求項３】
靴底本体１と接地部材３とを異なる色彩とした請求項２に記載の靴底構造。
【考案の詳細な説明】
【技術分野】
【０００１】
この考案は、靴の甲皮の底面に接着又は縫着されて靴底を形成する靴底構造に関するものである。
【背景技術】
【０００２】
革、布等の靴の甲皮の底面に接着又は縫着される靴底として、ゴム又は樹脂素材を所定のシート形状に成形したものが用いられている。かかる靴底には、靴製品の用途に応じ、耐摩耗性、防滑性、屈曲性、耐衝撃性（クッション性）、デザイン性、接着性、量産性等の様々な機能が求められている。
【考案の開示】
【考案が解決しようとする課題】
【０００３】
こうした靴底において、耐摩耗性を重視すると耐衝撃性、接着性に劣るなど、単一素材で成形した靴底で様々な機能を満足させることは困難であった。また、特にデザイン重視の婦人靴の場合、単一素材で単色の靴底は著しく意匠性に劣るものであった。
【０００４】
この考案は、こうした課題を解決することを目的とするもので、新規な靴底構造を提案し、靴底の機能性の向上で様々な靴製品に適用することができるとともに、量産性、デザイン・意匠性に優れた靴底構造を提案するものである。
【課題を解決するための手段】
【０００５】
上記の目的を達成するため、この考案は、甲皮７の底面に接着又は縫着されて靴底を形成する靴底構造において、靴底面の全面又は一部（踵部、つま先部等）を覆う靴底本体１を、複数の窓２を開設して所定肉厚の枠板状に成形し、靴底本体１の枠内に収まる接地部材３を、窓２に適合して接地用突部４を配列した所定肉厚の板状に成形する。そして、接地用突部４を窓２から突設させて靴底本体１と接地部材３とを接着し、一体としたことを特徴とするものである。
【０００６】
また、靴底本体１と接地部材３とを異素材で成形するものであり、さらに、靴底本体１と接地部材３とを異なる色彩とするものである。
【考案の効果】
【０００７】
この考案の靴底構造は、枠板状に成形した靴底本体１と、接地用突部４を配列した接地部材３とを個別に成形するもので、靴底本体１と接地部材３とを異素材で成形し、例えば、接地部材３を耐摩耗性に優れた素材で成形し、靴底本体１を接着性に優れた素材で成形する等、靴製品の用途に応じた最適素材同士の組み合わせが可能である。したがって、求められる機能に応じてそれぞれの素材を選択、組み合わせることで、カジュアル用、ウォーキング用、ジョギングを始めとするスポーツ用等、様々な靴製品に適用可能である。
【０００８】
また、この考案の靴底構造は靴底面の全面に適用する他、踵部、つま先部等の一部に適用してもよく、窓２及び接地用突部４の配列パターンは自由に設定することができ、靴底本体１と接地部材３とを異なる色彩とすることで、従来にない靴底のデザインも可能である。特に婦人靴に適用し、様々な配色の組み合わせによる商品展開を図るなど意匠上有益である。
【０００９】
また、接地用突部４を窓２から突設させて靴底本体１と接地部材３とを接着し、靴底は堅固に一体とされて耐久性に優れるとともに、従来の２色成形手段に比べて製作コストも安価である。
【考案を実施するための最良の形態】
【００１０】
以下にこの考案の最良の実施形態について、図面を用いて具体的に説明する。
図１から５はこの考案の靴底構造の最初の実施例で、靴底面の全面に適用したものである。図に示すように、靴底面の全面を覆う靴底本体１は、複数の窓２（図４参照）を開設して所定肉厚の枠板状に成形されている。一方、靴底本体１の枠内に収まる接地部材３は、接地用突部４を窓２に適合して配列した所定肉厚の板状に成形されている。
【００１１】
このようにして個別に成形した靴底本体１と接地部材３とを、接地用突部４を窓２から突設させて接着し、一体とした靴底が形成される（図５参照）。この靴底を革、布等の甲皮７の底面に接着又は縫着して靴が製作される。
【００１２】
図６、７はこの考案の靴底構造の他の実施例で、靴底面の踵部に適用したものである。図に示すように、靴底本体１ａは、靴底面の踵部を覆う大きさで所定肉厚の枠板状に成形され、この靴底本体１ａの枠内に収まる大きさで、接地用突部４を配列した接地部材３ａが所定肉厚の板状に成形されている。
【００１３】
このようにして個別に成形した靴底本体１ａと接地部材３ａとを、接地用突部４を窓２から突設させて接着して一体とし、さらにこれを、踵部を除く靴底面に露出する靴底部材６の踵部に接着して靴底が形成される（図７参照）。この靴底を革、布等の甲皮７の底面に接着又は縫着して靴が製作される。
【００１４】
以上、実施例について説明したが、この考案の靴底構造は様々な靴製品に適用可能である。窓２及び接地用突部４の配列パターンは自由に設定することができ、靴底本体１と接地部材３の素材は、靴製品の用途に応じた最適素材の選択、組み合わせが可能である。また、靴底面のつま先部に独立してこの考案の靴底構造を適用することもできる。
【図面の簡単な説明】
【００１５】
【図１】この考案の最初の実施例で、靴底の底面図。
【図２】靴底の正面図。
【図３】図２中Ａ−Ａ線で切断した断面図。
【図４】靴底本体の底面図。
【図５】靴底本体と接地部材を分離した状態の説明図。
【図６】この考案の他の実施例で、靴底の底面図。
【図７】靴底本体と接地部材を分離した状態の説明図。
【符号の説明】
【００１６】
１  靴底本体
２  窓
３  接地部材
４  接地用突部
７  甲皮
【図１】
0003146971.tif 000003
【図２】
0003146971.tif 000004
【図３】
0003146971.tif 000005
【図４】
0003146971.tif 000006
【図５】
0003146971.tif 000007
【図６】
0003146971.tif 000008
【図７】
0003146971.tif 000009
(57)【要約】      （修正有）【課題】顧客に繰り返して見てもらい、広告機能を持たせ続けることを目的としたダイレクトメール用ジグソーパズルを提供する。【解決手段】広告の文面をジグソーパズルのパズル面に描き、ジグソーパズル玩具として遊技することを可能としたジグソーパズルをダイレクトメール手段として提供することを特徴とする。広告の文面にＵＲＬを含ませたり、ジグソーパズルを定形郵便物にて郵送可能な大きさにすることもできる。【選択図】図１
0003146565.tif 000002
【実用新案登録請求の範囲】
【請求項１】
広告の文面をパズル面に描いたことを特徴とするジグソーパズル。
【請求項２】
広告の文面にＵＲＬが含まれていること特徴とする請求項１に記載のジグソーパズル。
【請求項３】
ジグソーパズルがダイレクトメールに同封して定形郵便物にて郵送可能な大きさであることを特徴とする請求項１に記載のジグソーパズル。
【考案の詳細な説明】
【技術分野】
【０００１】
本考案は、繰り返して見てもらうことを目的とした、ダイレクトメール用ジグソーパズルに関する。
【背景技術】
【０００２】
従来、ダイレクトメールは広告主が特定の顧客に対して郵送によって広告物を封筒に同封して送付する方法で行われ、その広告物はパンフレットであったり、あるいは広告文を記載したカレンダーや小冊子等であって、それらに広告の内容が印刷されているのが一般的であった。
【考案の開示】
【考案が解決しようとする課題】
【０００３】
しかし、パンフレットあるいは小冊子等の印刷物は、顧客が保存することを希望しても巷に氾濫する多種多様のダイレクトメールと混在してその所在が分からなくなるといった問題が多々生じ、また、カレンダー等にあっては一定の時期が来れば用済みとなり廃棄されることになり、長い期間ダイレクトメールとしての広告機能を持たせ続けることが困難であった。
【０００４】
本考案は上記の問題を解決するためになされたものであり、その目的は、ダイレクトメール自体に興味をもたせるべく、広告の文面をジグソーパズルのパズル面に描き、ジグソーパズル玩具として遊技することを可能としたダイレクトメール手段を提供することにある。
【課題を解決するための手段】
【０００５】
上記課題は下記の本考案によって解決される。すなわち、
本考案の請求項１に係るジグソーパズルは、広告の文面をパズル面に描いたことを特徴とする。
このジグソーパズルで遊戯して全てのピースを嵌め終え、パズル面が完成されると広告主が提供する広告内容や広告文が遊技者、すなわち顧客の目に止まることとなる。
【０００６】
請求項２に係るジグソーパズルは、広告の文面にＵＲＬが含まれていることを特徴とする。
ＵＲＬは広告主によって適時更新されるので、パズルを完成させた後、パズル面に表示されたＵＲＬにアクセスすることによって顧客は広告主の新たな情報に接することができるのである。
【０００７】
請求項３に係るジグソーパズルは、ダイレクトメールに同封して定形郵便物にて郵送可能な大きさであることを特徴とする。
本願にかかるジグソーパズルは、ダイレクトメール・パズルとして、郵送するダイレクトメールに主眼が置かれているので、定形郵便物として封書にて送付する形態が望ましい。
【考案を実施するための最良の形態】
【０００８】
次に、本考案のジグソーパズルにおける実施の形態を図面に基いて説明する。
図１は本考案にかかるジグソーパズルの完成状態を示した平面図である。
図において、１はジグソーパズルの全景であり、２はパズルのピースであって、図示のジグソーパズルは２０個のピース２から構成されている。
また、当然にこの２０個のピースは全て形状が異なっており、同一形状のピースは２つと存在しない。
３は枠台紙であり、２０個のピースはこの枠内で嵌め合わされる。
４はパズル面に描かれた広告文であり、５は広告主のコンテンツを示したＵＲＬである。
【０００９】
図２は本考案にかかるジグソーパズルを封筒６に収納して、ダイレクトメールとして郵送する状態を示したものである。
【００１０】
ダイレクトメール郵便として同封されたジグソーパズル１のパズル面には、広告主の広告文４やＵＲＬ５が描かれているので、郵便物の受取人は広告主の広告意図を直ちに認識することとなる。
そして、パズル面に示されたＵＲＬ５にインターネットを介して接続することによって、受取人である顧客は広告主のコンテンツに接することができ、最新の情報を入手することもできるのである。
【００１１】
本考案にかかるジグソーパズル１は、何回も遊技できるパズルであり、遊戯をして全てのピースを嵌め終えた時は達成感や満足感を満たし、遊技者の気分を高騰させる機能もあり、そのような気分の良い状態になった遊技者である顧客はパズル面に完成された広告主が提供する広告内容や広告文を受け入れやすいという心理的作用も期待できる。
【００１２】
本考案にかかるジグソーパズル１は、一例として２０ピースのものを示したが、広告量や顧客層によっては数百あるいは数千ピースのものであっても良い。
また、定形郵便物として送付される大きさに限られず、貨物郵便として送付される大きさで形成されても良いことは言うまでもない。
さらに、郵送されることに限定されることなく、街頭での直接手渡し、商品の付録等として配布することも可能である。
【図面の簡単な説明】
【００１３】
【図１】本考案にかかるジグソーパズルの完成状態を示した平面図。
【図２】本考案にかかるジグソーパズルを封筒に収納して、ダイレクトメールとして郵送する状態を示した参考斜視図。
【符号の説明】
【００１４】
１  ジグソーパズル
２  ピース
３  枠台紙
４  広告文
５  ＵＲＬ
６  封筒
【図１】
0003146565.tif 000003
【図２】
0003146565.tif 000004
【手続補正書】
【提出日】平成20年9月17日(2008.9.17)
【手続補正１】
【補正対象書類名】明細書
【補正対象項目名】０００８
【補正方法】変更
【補正の内容】
【０００８】
次に、本考案のジグソーパズルにおける実施の形態を図面に基いて説明する。
図１は本考案にかかるジグソーパズルの完成状態を示した平面図である。
図において、１はジグソーパズルの全景であり、２はパズルのピースであって、図示のジグソーパズルは３０個のピース２から構成されている。
また、当然にこの３０個のピースは全て形状が異なっており、同一形状のピースは２つと存在しない。
３は枠台紙であり、３０個のピースはこの枠内で嵌め合わされる。
４はパズル面に描かれた広告文であり、５は広告主のコンテンツを示したＵＲＬである。
【手続補正２】
【補正対象書類名】明細書
【補正対象項目名】００１２
【補正方法】変更
【補正の内容】
【００１２】
本考案にかかるジグソーパズル１は、一例として３０ピースのものを示したが、広告量や顧客層によっては数百あるいは数千ピースのものであっても良い。
また、定形郵便物として送付される大きさに限られず、貨物郵便として送付される大きさで形成されても良いことは言うまでもない。
さらに、郵送されることに限定されることなく、街頭での直接手渡し、商品の付録等として配布することも可能である。
(57)【要約】      （修正有）【課題】フローリング用ワイパーシートを使って掃除ができる手袋を提供する。【解決手段】手袋１の手の平側の面にマジックテープ（登録商標）のフック側２を設け、このマジックテープ（登録商標）にフローリング用ワイパーシートをフックさせ固定させることにより、この手袋にて狭い箇所まで掃除することができるという利便性がある。【選択図】図１
0003146564.tif 000002
【実用新案登録請求の範囲】
【請求項１】
手袋において、手の平側の面にマジックテープ（登録商標）のフック側を設けたことにより、フローリング用ワイパーシートを装着できることを特徴とする手袋。
（１）
【考案の詳細な説明】
【技術分野】
【０００１】
本考案は、手袋に関するものである。
【背景技術】
【０００２】
フローリング用ワイパーシートで掃除できる手袋である。
【考案の開示】
【考案が解決しようとする課題】
【０００３】
従来の手袋では、掃除用具を手にして掃除するのが一般的であり、狭い箇所を掃除する事は難しかったが、フローリング用ワイパーシート装着できる手袋により、前述の問題点を解決しようとするものである。
【課題を解決するための手段】
【０００４】
本考案は、手袋において、手の平側の面にマジックテープ（登録商標）のフック側を設けたことにより、フローリング用ワイパーシートを装着できることで問題点を解決している。
【考案の効果】
【０００５】
上述のように、手袋（１）において手の平側の面にマジックテープ（登録商標）のフック側（２）を設け、フローリング用ワイパーシートを装着させることにより、狭い箇所のゴミまで掃除をすることができる。
（２）
【考案を実施するための最良の形態】
【０００６】
手袋において、フローリング用ワイパーシートが脱着可能なフック側マジックテープ（登録商標）を設けるのが望ましい。
【実施例】
【０００７】
以下、添付図面に従って一実施例を説明する。手袋本体（１）に対して、フローリング用ワイパーシートが脱着可能なフック側マジックテープ（登録商標）（２）を設けている。
【図面の簡単な説明】
【０００８】
【図１】本フローリング用ワイパーシートを装着できる手袋の斜視図である。
【符号の説明】
【０００９】
１  手袋
２  マジックテープ（登録商標）のフック側
【図１】
0003146564.tif 000003
(57)【要約】      （修正有）【課題】吸音性能を増加させたポリエステル繊維吸音材付石膏ボード・制振マットサンドイッチパネルを提供する。【解決手段】ポリエステル繊維吸音材付石膏ボード・制振マットサンドイッチパネルは、従来の石膏ボード・制振マットサンドイッチパネル（１）＋（２）＋（３）にポリエステル繊維吸音材を装着させることにより、石膏ボード・制振マットサンドイッチパネルの吸音性能を増加し、外壁材と石膏ボード・制振マットサンドイッチパネル間の音の反射反響を低減させることができることを特徴とする。【選択図】図１
0003146563.tif 000002
【実用新案登録請求の範囲】
【請求項１】
制振マットを２枚の石膏ボードで挟んだ内部用サンドイッチパネルの裏面にポリエステル繊維吸音材を装着することによって、既存内壁材と石膏ボード間の音の反射反響を低減し、その結果石膏ボード・制振マットサンドイッチパネルの遮音性能を増加させることを特徴とするポリエステル繊維吸音材付石膏ボード・制振マットサンドイッチパネル。
【考案の詳細な説明】
【技術分野】
【０００１】
本考案は、石膏ボード・制振マットサンドイッチパネルの吸音性能の増加に関するものである。
【背景技術】
【０００２】
現在の石膏ボード・制振マットサンドイッチパネルにポリエステル繊維吸音材を装着した防音材料はなかった。
【考案の開示】
【考案が解決しようとする課題】
【０００３】
石膏ボード・制振マットサンドイッチパネルと外壁材間に音の反射反響がある。
【課題を解決するための手段】
【０００４】
本考案は、石膏ボード・制振マットサンドイッチパネルにポリエステル繊維吸音材を装着させることにより、石膏ボード・制振マットサンドイッチパネルと外壁材間の音の反射を低減することができる。
【図面の簡単な説明】
【０００５】
【図１】ポリエステル繊維吸音材付石膏ボード制振マットサンドイッチパネルの断面図である。
【符号の説明】
【０００６】
（１）石膏ボード
（２）制振マット
（３）石膏ボード
（４）ポリエステル繊維吸音材
（５）下地鉄骨
（６）六角ヘックス
（７）外壁材
【図１】
0003146563.tif 000003
(57)【要約】【課題】  海苔支柱の泥抜き穴に、押し込んで海水を噴射し、引き抜いて海苔支柱の内部を清掃できる、海苔支柱ソケット泥抜き穴用ノズルを提供する。【解決手段】  海苔支柱の泥抜き穴に合う、パイプの片方に数箇所切り込みをいれて広げＹ状にして、対片方外面にストップリングと内面に噴射口を、ストップリングとＹ状に広げた間の外側にＯ−リングを合わせ、海苔支柱ソケット泥抜き穴用ノズルを構成する。弾力のあるＹ状部分を窄めて海苔支柱の泥抜き穴にストップリングのあたるまでＯ−リングと共に押し込む。漁期が終わり海苔支柱を撤去した時ストップリング部分を持ち引き抜き、蓄積した泥を清掃して課題を解決する。【選択図】図１
0003146502.tif 000002
【実用新案登録請求の範囲】
【請求項１】
設けたパイプの、片方に数箇所の切込みを入れてＹ状に広げたパイプ。
【請求項２】
設けたパイプの、片方に数箇所の切り込みを入れてＹ状に広げたパイプの対片方外側にストップリングと、内側に噴射口と、ストップリングと、Ｙ状に広げた間の外側にＯ−リングとを、合わせて構成した、海苔支柱ソケット泥抜き穴用ノズル。
【考案の詳細な説明】
【技術分野】
【０００１】  本考案は、海苔支柱ソケット泥抜き穴用ノズルに関する。
【背景技術】
【０００２】  従来、使用している海苔支柱ソケットの泥抜き穴にネジヤマはなく、海苔支柱の立て辛い海底の貝殻や砂の層に海苔支柱を立て込むために、加工したノズルのネジヤマに合わせて泥抜き穴にネジヤマを加工して締めこみ、海苔支柱の内部に注入口より海水を注水してノズルから噴射しながら海底の貝殻や砂の層を液状化するための（図４）が利用されている。
【考案の開示】
【考案が解決しようとする課題】
【０００３】  しかし、これでは従来から使用している海苔支柱ソケットの泥抜き穴に加工したノズルを用いる場合ネジヤマを加工するためのコストと時間がかかる、漁期が終わり海苔支柱を撤去し泥抜き穴より支柱内部を海水で清掃する場合、締めたノズルを緩めて清掃後に締めたりして時間が経過して不便である。
【課題を解決するための手段】
【０００４】  そこで、従来から使用している海苔支柱ソケットの泥抜き穴が入り口よりＹ状に奥に広がっているのを利用して、形状に合わせて固定する海苔支柱ソケット泥抜き穴用ノズルを考案した（図１）。【０００５】  海苔支柱の泥抜き穴のサイズに合う、設けたパイプの、片方に切り込みを数箇所入れてＹ状に広げる。【０００６】  設けたパイプの片方に切り込みを数箇所入れＹ状に広げた、対片方の外側にストップリングと内側に噴射口を、ストップリングとＹ状に広げた間の外側にＯ−リングを合わせ、海苔支柱ソケット泥抜き穴用ノズルを構成する。【０００７】  海苔支柱ソケットの泥抜き穴に、海苔支柱ソケットの泥抜き穴用ノズルのＹ状に広がっている切込み部分を窄めて泥抜き穴に入れ、Ｏ−リングと共に押し込む。【０００８】  押し込まれる海苔支柱ソケットの泥抜き穴用ノズルは、ストップリングがソケットの泥抜き穴の入り口に当たり、奥にＹ状に広がっているソケットの内部で、切り込みの部分が広がる弾力を応用して固定する（図３）。【０００９】  漁期が終わり、海苔支柱ソケットの泥抜き穴から、海苔支柱ソケット泥抜き穴用ノズルを、ストップリング部分を持ち引き抜き、海苔支柱内部を海水で清掃し、海苔支柱ソケット泥抜き穴用ノズルを押し込む。
【考案の効果】
【００１０】  本考案により、従来のようにノズルとソケット双方にネジヤマを設ける必要はなく、従来の海苔支柱の泥抜き穴の形状を利用し、海苔支柱ソケット泥抜き穴用のノズルのパイプの切り込み部分の弾力を応用して固定することで、締めこんだり緩めたりする必要はなくなり時間とコストを軽減し作業能率を上げることができるのである。
【考案を実施するための最良の形態】
【００１１】  本考案に係る、海苔支柱ソケット泥抜き穴用ノズルは、図１に示すように、１海苔支柱ソケット泥抜き穴用ノズルの、２パイプの片方向に切込みが数箇所入りＹ状に広がり、対片方外側に、３ストップリングと、内側に４噴射口をストップリングとＹ状を形成した間の外側に、５Ｏ−リングが合わされ、１海苔支柱ソケット泥抜き穴用ノズルが構成されている。【００１２】  従来から使用している、１０海苔支柱、６ソケットの、７泥抜き穴に、１海苔支柱ソケット泥抜き穴用ノズルの、２パイプのＹ状に広がっている切込み部分を窄めて、６ソケットの、７泥抜き穴に入れ、５Ｏ−リングと共に押し込む。【００１３】  押し込まれる、１海苔支柱ソケット泥抜き穴用ノズルは、３ストップリングが、６ソケットの入り口に当たり、７泥抜き穴がＹ状に奥に広がっている、６ソケットの内部で、２パイプの切り込みの部分が広がる弾力で、６ソケットのＹ状の穴で固定され、１０海苔支柱の、１１注水口より海水を注入する場合、５Ｏ−リングで海水漏れを防ぎ、本考案の、１海苔支柱ソケット泥抜き穴用ノズルから海水を噴射することが出来る。【００１４】  漁期が終わり、１０海苔支柱、６ソケットの、７泥抜き穴から、１海苔支柱ソケット泥抜き穴用ノズルを、３ストップリング部分を持ち引き抜き、１０海苔支柱内部に蓄積した泥を海水で清掃し、１海苔支柱ソケット泥抜き穴用ノズルを押し込む。【００１５】  このように工夫した、海苔支柱ソケット泥抜き穴用ノズルを海苔支柱に用いることで、従来のように、ソケットとノズル双方にネジヤマを設ける事なく経費を削減することができ、また、ノズルを締めこんだり緩めたりすることなく、押し込み、引き抜くことで作業時間が短縮でき作業能率を向上できる。【００１６】  この、海苔支柱ソケット泥抜き穴用ノズルの材料は、海水に強い劣化しにくい適度に弾力のあるものが好ましい。またサイズとパイプのＹ状の形状と弾力は海苔支柱ソケット泥抜き穴にあわせてきめ、噴射口の穴は圧力と海水の流量で決めるとよい。【００１７】  本考案に係わる、海苔支柱ソケット泥抜き穴用ノズルは、工業的に量産することが可能であるために、産業上の利用可能性を有する。
【図面の簡単な説明】
【００１８】
【図１】  本考案に係わる海苔支柱ソケット泥抜き穴用ノズルの全体立面図である。
【図２】  ソケットの付いた海苔支柱の平面図である。
【図３】  海苔支柱ソケットに、本考案の、海苔支柱ソケット泥抜き穴用ノズルを押し込んだ平面図である。
【図４】  従来のソケットの付いた海苔支柱とノズルの立面図である。
【符号の説明】
【００１９】    １  海苔支柱ソケット泥抜き穴用ノズルを示す
２  切込みを入れたＹ状のパイプを示す
３  ストップリングを示す
４  噴射口を示す
５  Ｏ−リングを示す
６  ソケットを示す
７  泥抜き穴を示す
８  泥抜き穴海苔支柱側を示す
９  従来のノズルを示す
１０  海苔支柱を示す
１１  海水注入口を示す
１２  アンテナを示す
【図１】
0003146502.tif 000003
【図２】
0003146502.tif 000004
【図３】
0003146502.tif 000005
【図４】
0003146502.tif 000006
(57)【要約】      （修正有）【課題】硬い食材を使って調理する場合に於いて大きいもの小さくても硬いもの細太の材料を必要に応じ任意に切り刻むことが出来ると共に包丁の種類を自由に使い分けることが出来る固定式包丁を提供する。【解決手段】まな板の端にまな板と平行の丸棒より成る包丁支持治具を設け、この包丁支持治具の丸棒に包丁の先端を回動自在に取り付けたことを特徴とする固定式包丁。【選択図】図１
0003146504.tif 000002
【実用新案登録請求の範囲】
【請求項１】
まな板の端にまな板と平行の丸棒より成る包丁支持治具を設け、この該丸棒に包丁の先端を回動自在に取り付けたことを、特徴とする固定式包丁。                         
【請求項２】
前記、包丁支持治具は丸棒と該丸棒を左右の両端で支持する受支持板より成る請求項1記載の固定式包丁。
【請求項３】
前記、左右の受支持板には垂直方向孔が形成され、該垂直方向孔に前記丸棒がまな板面と平行になるように配され該丸棒のまな板よりの距離を変更するための複数の受部を形成したことを、特徴とする請求項２記載の固定式包丁。    
【請求項４】
包丁の先端部に包丁と前記丸棒に接続された接続部材を設け、該接続部材の包丁取り付け部と丸棒取り付け部のどちらか一方もしくは両方を回動自在にしたことを特徴とする請求項1〜３ のいずれかに記載した固定式包丁。
【考案の詳細な説明】
【技術分野】
【０００１】
本考案は、硬い食材を調理する時に無理なく容易に切ることを目的とした固定式包丁に関する。
【背景技術】
【０００２】
特許文献1には先端に孔を設けた包丁とまな板の上部に凹凸部を設け支持部に包丁の孔とを遊嵌するピンを軸に揺動可能にする支持部を備えた切断器具と示している、小さなものなら硬い食材でも容易に切ることが出来るしかし大きな変形した硬い食材を切るときに力を加えた瞬間のバランスにより包丁が左右斜めにぶれたとき包丁の孔部や切り込みに力が集中し強度の問題で危険性が発生する。
【特許文献１】実開昭６３-１２７８９６号公報
【考案の開示】
【考案が解決しようとする課題】
【０００３】
本考案はかかる問題点を解決するものであって包丁本体を加工するのではなく包丁の先端上部に支持治具でしっかりと固定するので安全である。
【課題を解決するための手段】
【０００４】
本考案はまな板の端にまな板と平行の丸棒より成る包丁支持治具を設け、該丸棒に包丁の先端を回動自在に取り付けたことを、特徴とする固定式包丁である。  
【考案の効果】
【０００５】
本考案は硬い食材を安全かつ容易に切ることを目的とし非力な主婦達に喜ばれるだけでなく、手の不自由な方力の弱った婦人高齢者にも手軽に切ることが出来る包丁である、又大きな食材を切るときは包丁支持治具の丸棒位置を受支持板のイ部に変更することで簡単に切ることが可能になる。
【考案を実施するための最良の形態】
【０００６】
以下図面に示す実施の形態について説明する。
図1は本考案に係る固定式包丁の斜視図である図１に示す1は普通の包丁である包丁の先端上部に包丁支持治具の接続部材２の包丁取付部2−Ｂの凹部に包丁１をはめ込み２-Ｂのボルトを締め付けて固定する。 更に接続部材２の丸棒取り付け部２-Ａ丸孔に丸棒３を通し回動自在に動くことを確認する。まな板５の端に包丁支持治具の受支持板４のまな板固定部４-Ａ.Ｂの孔にボルトを通しナットで締め付けてまな板に固定する。上記で示した丸棒を受支持板の垂直方向孔４-C.Dの所定の位置にセットしてチョウネジ３−Ａ．Ｂを締め付けて固定する。丸棒３を垂直方向孔４-C.Dのイロハニの位置を変更することにより一層機能が充実する。ニの位置は小さな食材を調理する小型包丁使用時の位置でありハは本考案の基本定位置でありロは一寸大きめな食材を調理するときの位置でありイは大きなカボチャやスイカ等々の位置である。
本考案は以上の構成から成っている、包丁の先端を固定することにより梃子の原理を利用して弱い力でも切ることが出来た本考案の使用方法は調理しようとする食材を固定式包丁の下に置き左手で食材を軽く抑え握った包丁の柄を軽くしたに押し下げて切ることが出来る。
【図面の簡単な説明】
【０００７】
【図１】本考案に係る固定式包丁の斜視図である。
【図２】接続部材を示す図である。
【図３】包丁支持治具の丸棒を示す図である。
【図４】包丁支持治具の受支持板を示す図である。
【符号の説明】
【０００８】
１    包    丁 
１０  包丁支持治具
２     接続部材
２−Ａ  丸棒取付部
２−Ｂ  包丁取付部
３       包丁支持治具の丸棒
３−Ａ  ３−Ｂ  固定用チョウネジ
４        包丁支持治具の受支持板
４−Ｃ  ４−Ｄ  垂直方向孔
【図１】
0003146504.tif 000003
【図２】
0003146504.tif 000004
【図３】
0003146504.tif 000005
【図４】
0003146504.tif 000006
(57)【要約】      （修正有）【課題】自転車、自動二輪車等の操縦者が握るハンドルのグリップ部に磁石を取付けて、磁気治療によりハンドル操作中の操縦者の肩凝りや疲労の予防に用いられる磁石入りハンドルを提供する。【解決手段】ハンドルのパイプ形状のハンドルバー内径部に磁石を挿入し、グリップ取付位置に磁石を固定する。ハンドルバーの内径部にはスペースがあるので大きい寸法サイズの強い磁気の磁石を取付られる。この強い磁気により血液の循環を良好にすることを特徴とする。【選択図】図１
0003146591.tif 000002
【実用新案登録請求の範囲】
【請求項１】
自転車、自動二輪車等のハンドルにおいて、前記ハンドルは棒状のハンドルバーと前記ハンドルバーの両端の外径部にグリップを装着して構成され、前記ハンドルバーはパイプ形状で、磁石が前記ハンドルバー内径部に挿入し、固定されていることを特徴とする磁石入りハンドル。
【請求項２】
前記ハンドルバー内径部に固定されている前記磁石は、前記グリップを装着している位置にあることを特徴とする請求項１に記載の磁石入りハンドル。
【請求項３】
前記ハンドルバーと前記グリップが非磁性体で作られていることを特徴とする請求項１又は２に記載の磁石入りハンドル。
【考案の詳細な説明】
【技術分野】
【０００１】
本考案は自転車、自動二輪車等の操縦者（操作者）が握るハンドルのグリップ部に磁石を取付けて、前記磁石の磁気治療によりハンドル操作中の操縦者（操作者）の肩凝りや疲労の予防に用いられる磁石入りハンドルに関する。
【背景技術】
【０００２】
従来、自転車、自動二輪車等のハンドルは、これらの車両を円滑に操縦できることを主目的としたものであった。
したがって、それらの機能的な面において、極めて優れたハンドルが実用に供されていた。また、自転車、自動二輪車等のハンドルバーに、弾力性に富んだグリップを装着して、ハンドルバーを握りやすくして使用することによって、操縦性と安全性の、より一層の向上を図っていた。
しかし、これらハンドルのグリップは、かなりの長時間にわたって握り持ったままの状態となるので、肩凝りや疲労の予防に有効な方策として、グリップに磁石入りのものが考案されている。
【０００３】
しかし、グリップに取付けた磁石の場合、磁石の寸法サイズが小さくて、グリップを握り持った手に与える物理的な刺激等の観点から磁気の強さが十分でなかった。
【０００４】
この改善策として、磁気の強い磁石の装着があるが、コストが高くなるか、又は磁石の寸法サイズが大きくなるのでグリップ部に取付けられなかった。
【特許文献１】特開２００３−７０８７６号公報
【考案の開示】
【考案が解決しようとする課題】
【０００５】
解決しようとする問題点は、肩凝りや疲労の予防に有効となるレベルの磁気力を有する磁石をハンドルのグリップ部に取付ることである。
【課題を解決するための手段】
【０００６】
本考案は、自転車、自動二輪車等のハンドル１において、ハンドル１は棒状のハンドルバー１１とハンドルバー１１の両端の外径部にグリップ１２を装着して構成され、ハンドルバー１１はパイプ形状で、ハンドルバー１１の内径部に磁石１３を挿入し、前記ハンドルバー外径部にグリップ１２が装着されている位置に固定したことを特徴とする磁石入りハンドル。
【考案の効果】
【０００７】
本考案の磁石入りハンドル１は、十分な空いたスペースがあるハンドルバー１１の内径部に磁石１３を取り付けるので、安価な磁石の弱い磁石１３をハンドルバー１１の内径部に収まる範囲で体格を大きくして強い磁気の磁石１３にして取り付けることができる。その結果としてコストが安くて、磁気の強い磁石１３を取り付けることができる利点がある。
【考案を実施するための最良の形態】
【０００８】
ハンドル１のグリップ１２の位置に肩凝りや疲労の予防に有効となる磁気の強い磁石１３を設ける目的を、最小の部品点数で、ハンドル１の機能を損なわずに実現した。
【実施例１】
【０００９】
以下、本考案を実施例に基づき詳細に説明する。
【００１０】
図１は本考案を自転車のハンドル１に適用した場合の一実施例を示す説明図である。
【００１１】
図１において、１は自転車、自動二輪車等のハンドルであり、ハンドル１に棒状のハンドルバー１１と、その両端部の外径部にグリップ１２が装着されていて、図２に示すリング状や円柱状に形成された磁石１３をパイプ形状のハンドルバー１１の内径部に挿入し、ハンドルバー１１の外径部にグリップ１２が装着されている位置に接着材等を使って固定している。
【００１２】
上記磁石１３はパイプ内径サイズより若干小さい外径サイズで、５ｍｍ〜５０ｍｍ位の厚さを持ち、リング状や円柱状に形成されており、磁化方向が厚み方向で表面磁束密度が２０００ガウス以上のものが用いられている。
【００１３】
磁石１３の磁気の強さが出来るだけ減衰されないでグリップを握った手に作用させるため、ハンドルバー１１はアルミ合金等の非磁性体で作られ、グリップ１２も樹脂等の非磁性体で作られている。
【００１４】
上記実施例の磁石入りハンドル１を装備した自転車と磁石無しハンドルを装備した自転車とで、一日あけて各々３時間同じコースで重量３.２ｋｇのリュックを担いで同じ条件にして走行した結果、磁石無しハンドルではサイクリング後半に肩凝りで肩が硬くなり、痛いので腕を動かすことが苦痛な状態となり、又、左右の手首が痛くなった、磁石入りハンドル１では後半に肩凝りが生じたが肩があまり硬くならず、あまり痛くないので腕を動かして肩こりを緩和できた、長時間ハンドルを握りっぱなしだったが手首が痛くなることはなかった、又磁石無しのハンドルに比べて全体に疲労度が少なかった。  
【００１５】
上記実施例の磁石入りハンドル１は自律神経に作用し、自律神経の働きを変えることにより血液の循環を良好にして肩凝りや疲労の予防を効果的に行う。これによって、自転車の操縦者(運転者)の肩凝りや疲労が防止されて、自転車走行時の安全性が高くなる。
【産業上の利用可能性】
【００１６】
乗り物に限らず、操縦や操作に使う棒状のハンドルバー１１を持つ操縦（操作）装置であれば、その操縦者（操作者）に肩凝りや疲労の予防が要求される場合に適用できる。
【図面の簡単な説明】
【００１７】
【図１】本考案に係る磁石入りハンドル１の説明図（断面図）である。（実施例１）
【図２】本考案に係る磁石形状の説明図
【符号の説明】
【００１８】
１    ハンドル
１１  ハンドルバー
１２  グリップ
１３  磁石
【図１】
0003146591.tif 000003
【図２】
0003146591.tif 000004
(57)【要約】【課題】乾燥しても、反り曲がりが生じない竹箸の提供【解決手段】この考案の竹箸は、箸状に成形した二本の本体Ａ，Ａ’の表皮側１，１’を外側に、内身側２，２’を対向して配置し、該内身側２，２’を接合したことを特徴とするものである。内身側２，２’を、例えば、耐熱、耐水性を有するエポキシ樹脂系接着剤等で接合しているので、洗浄機で洗浄、乾燥を繰り返しても、反り曲がりが生じないという効果を奏する。 【選択図】 図２
0003146584.tif 000002
【実用新案登録請求の範囲】
【請求項１】
箸状に成形した二本の本体（Ａ，Ａ’）の表皮側（１，１’）を外側に、内身側（２，２’）を対向して配置し、該内身側（２，２’）を接合したことを特徴とする竹箸
【考案の詳細な説明】
【技術分野】
【０００１】
本考案は乾燥しても反り曲がりが生じない竹箸に関するものである。
【背景技術】
【０００２】
従来の竹箸は、例えば、特開平１０−１１９０１３号に開示されているような製造方法によって作られていたので、次のような欠点があった。
【０００３】
竹は表皮に近いほど維管束の密度が高く、内身になるほど、維管束の密度が低くなるので、竹箸を乾燥すると、維管束の密度が低い内身側の収縮が、維管束の密度が高い表皮側の収縮より大きくなり、内身側に反り曲がるという欠点があった。
【特許文献１】特開平１０−１１９０１３号公報
【考案の開示】
【考案が解決しようとする課題】
【０００４】
この考案は、背景技術で記述した欠点を解消するためになされたもので、乾燥しても、反り曲がりが生じない竹箸の提供を目的とするものである。
【課題を解決するための手段】
【０００５】
この考案の竹箸は、箸状に成形した二本の本体の表皮側を外側に、内身側を対向して配置し、該内身側を接合したことを特徴とするものである。
【考案の効果】
【０００６】
この考案は上述のように構成されているので、二本の本体は互いに内側に反ろうとするが、その内身側が互いに接合されているので、反ることが不可能になり、どんなに洗浄し、乾燥しても反り曲がることはない。
【考案を実施するための最良の形態】
【０００７】
乾燥しても、反り曲がりが生じない竹箸の提供という目的を、箸状に成形した二本の本体の表皮側を外側に、内身側を対向して配置し、該内身側を接合することにより実現できた。
【実施例】
【０００８】
この考案の実施の一例を図面を参照しながら説明する。図１〜図２に示すように、箸状に成形した二本の本体Ａ，Ａ’の表皮側１，１’を外側に、内身側２，２’を対向して配置し、該内身側２，２’を接合している。
【０００９】
なお、内身側２，２’を接合する接着材としては、例えば、耐熱、耐水性を有するエポキシ樹脂系接着剤などが適用できる。
【００１０】
さらに、竹箸全体を、例えば、硬質樹脂などでコーチングすれば、現在流行している洗浄機での洗浄が可能な竹箸を提供できる。
【００１１】
竹箸用の竹としては、真竹や孟宗竹などが適しており、竹箸の長さ、幅・先端・頭部の大きさ等は、用途に応じて自由に選択できる。
【産業上の利用可能性】
【００１２】
洗浄、乾燥により反りを生じない箸を、竹材て製造可能になり、利用価値は顕著である。
【図面の簡単な説明】
【００１３】
【図１】考案の一実施例を示す箸状に成形した本体の側面図
【図２】箸状に成形した本体の内身部を接合した竹箸の側面図
【符号の説明】
【００１４】
Ａ，Ａ’  箸状に成形した二本の本体
１，１’  箸状に成形した二本の本体Ａ，Ａ’の表皮側
２，２’  箸状に成形した二本の本体Ａ，Ａ’の内身側
【図１】
0003146584.tif 000003
【図２】
0003146584.tif 000004